【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
オブジェクトを共有するためのコンピュータ実装方法であって、
共有デバイスによって、コンピューティングデバイスから前記共有デバイスにコピーするために前記コンピューティングデバイスにおいてユーザー選択されたオブジェクトを受信するステップと、
前記共有デバイスによって、前記共有デバイスの１つまたは複数のカメラを使用して前記コンピューティングデバイスの制御位置を検出するステップと、
前記共有デバイスのディスプレイに表示された前記オブジェクトのオブジェクト位置を制御するために、前記共有デバイスによって、前記コンピューティングデバイスの前記制御位置の変化に基づいてユーザー入力を検出するステップと、
前記ユーザー入力を検出することに少なくとも部分的に基づいて、前記共有デバイスのディスプレイ上に表示された前記オブジェクトのオブジェクト位置を更新するステップと、
トリガーイベントに応答して前記ディスプレイ上の前記更新されたオブジェクト位置に前記オブジェクトを固定するステップと、
を含む、コンピュータ実装方法。
【請求項２】
請求項１に記載のコンピュータ実装方法であって、前記オブジェクトを受信する前記ステップ以前に、前記共有デバイスにより前記ディスプレイと前記コンピューティングデバイス間の距離、または前記ディスプレイに対して前記コンピューティングデバイスを操作するユーザーの方向に少なくとも部分的に基づき前記コンピューティングデバイスとの接続を確立するステップと、
前記ディスプレイ上の初期位置に前記オブジェクトを表示するステップと、
をさらに含む、コンピュータ実装方法。
【請求項３】
請求項１に記載のコンピュータ実装方法であって、前記コンピューティングデバイスの前記制御位置を検出するステップをさらに含む、コンピュータ実装方法。
【請求項４】
請求項３に記載のコンピュータ実装方法であって、前記１つまたは複数のカメラは、前記コンピューティングデバイスを追跡するために動きセンサーとして作動する、コンピュータ実装方法。
【請求項５】
請求項１に記載のコンピュータ実装方法であって、前記オブジェクト位置は、前記トリガーイベントが発生するまで更新される、コンピュータ実装方法。
【請求項６】
請求項１に記載のコンピュータ実装方法であって、前記コンピューティングデバイスの動きまたは前記コンピューティングデバイスに関連したユーザーの付属物のジェスチャーに少なくとも部分的に基づき前記オブジェクトを編集するステップ、
をさらに含む、コンピュータ実装方法。
【請求項７】
コンピュータ実行可能な命令を記憶する１つまたは複数のコンピュータ記憶媒体であって、前記命令は、１または複数の処理装置の実行に応答して、前記１つまたは複数の処理装置に、
共有デバイスにコピーするためにオブジェクトのユーザー選択をコンピューティングデバイスにおいて受信するステップと、
前記コンピューティングデバイスから前記オブジェクトを前記共有デバイスに送信するステップと、
前記共有デバイスのディスプレイの基準となる特徴に関連した前記オブジェクトのオブジェクト位置を含むオブジェクト位置情報を前記共有デバイスに送信するステップと、
前記共有デバイスにコマンドを送信するステップであって、前記コマンドは、前記ディスプレイ上の特定のオブジェクト位置で、前記共有デバイスに前記オブジェクトを固定させる、ステップと、
を含む動作を実行させる、コンピュータ実行可能な命令を記憶する１つまたは複数のコンピュータ記憶媒体。
【請求項８】
請求項７に記載の１つまたは複数のコンピュータ記憶媒体であって、前記動作が、前記ディスプレイ上の前記特定のオブジェクト位置において前記オブジェクトを編集するために、１つまたは複数のオプションの選択を受信するステップをさらに含む、１つまたは複数のコンピュータ記憶媒体。
【請求項９】
請求項７に記載の１つまたは複数のコンピュータ記憶媒体であって、前記オブジェクト位置情報が、少なくとも部分的には前記コンピューティングデバイスのカメラからのデータによって決定される、１つまたは複数のコンピュータ記憶媒体。
【請求項１０】
請求項９に記載の１つまたは複数のコンピュータ記憶媒体であって、前記オブジェクトの位置情報が、前記共有デバイス上に配置されるべき前記オブジェクトの画像に重ね合わされた前記カメラによって捕捉された画像を含む、１つまたは複数のコンピュータ記憶媒体。
【請求項１１】
請求項７に記載の１つまたは複数のコンピュータ記憶媒体であって、前記共有デバイスの前記ディスプレイの前記基準となる特徴は、前記ディスプレイに表示されるオブジェクトに少なくとも部分的に基づいて決定される、１つまたは複数のコンピュータ記憶媒体。
【請求項１２】
請求項７に記載の１つまたは複数のコンピュータ記憶媒体であって、前記共有デバイスの前記ディスプレイの前記基準となる特徴は、前記ディスプレイの外観特性に少なくとも部分的に基づいて決定される、１つまたは複数のコンピュータ記憶媒体。
【請求項１３】
請求項７に記載の１つまたは複数のコンピュータ記憶媒体であって、前記動作は、
前記共有デバイスとの接続を確立するステップと、
前記共有デバイスにより実装されるユーザーインターフェイス上で前記オブジェクト位置において前記オブジェクトの表示を可能にするステップと、
をさらに含む、１つまたは複数のコンピュータ記憶媒体。
【請求項１４】
請求項７に記載の１つまたは複数のコンピュータ記憶媒体であって、前記動作は、所定の時間の後に前記オブジェクト位置を更新するステップをさらに含む、１つまたは複数のコンピュータ記憶媒体。
【請求項１５】
オブジェクトを共有するためのコンピューティングデバイスであって、前記コンピューティングデバイスが、
１つまたは複数の処理装置と、
１つまたは複数の処理装置に通信可能に結合された動きセンサーと、
前記１つまたは複数の処理装置により実行可能な複数のコンポーネントを保持するためのメモリと、を含み、前記複数のコンポーネントが、
移動体デバイスとの接続を確立して、前記移動体デバイスからオブジェクトを受信するよう構成された通信モジュールであって、前記オブジェクトは前記コンピューティングデバイスにコピーするために前記移動体デバイスにおいてユーザー選択されている、通信モジュールと、と、
前記動きセンサーを用いて前記移動体デバイスの制御位置の変化を介してディスプレイ上でオブジェクトと対話するためにユーザー入力を検出するよう構成されたセンサーモジュールと、
前記ユーザー入力に応答してディスプレイ上に表示された前記オブジェクトのオブジェクト位置を更新し、かつトリガーイベントに応答して前記ディスプレイ上に表示された前記オブジェクト位置にオブジェクトを固定するロケーションモジュールと、
を含む、コンピューティングデバイス。
【請求項１６】
請求項１５に記載のコンピューティングデバイスであって、前記複数のコンポーネントが、前記オブジェクトが受信された後に前記オブジェクトを前記ディスプレイ上の初期位置に表示し、かつ前記オブジェクトが固定された後に前記オブジェクトを前記ディスプレイ上の前記固定されたオブジェクト位置に表示する、表示モジュールをさらに含む、コンピューティングデバイス。
【請求項１７】
請求項１５に記載のコンピューティングデバイスであって、前記複数のコンポーネントが、前記移動体デバイスの動きまたは前記移動体デバイスに関連したユーザーの付属物のジェスチャーに少なくとも部分的に基づき前記オブジェクトを編集するよう構成された、編集モジュールをさらに含む、コンピューティングデバイス。
【請求項１８】
請求項１５に記載のコンピューティングデバイスであって、前記動きセンサーは、前記移動体デバイス、または前記移動体デバイスに関連したユーザーの付属物を追跡するよう構成される、コンピューティングデバイス。
【請求項１９】
請求項１５に記載のコンピューティングデバイスであって、前記通信モジュールは、前記移動体デバイスから前記トリガーイベントを受信するようさらに構成される、コンピューティングデバイス。
【請求項２０】
請求項７に記載の１つまたは複数のコンピュータ記憶媒体であって、前記共有デバイスへ前記オブジェクトを送信するステップは、前記共有デバイスにコピーするために前記オブジェクトの前記ユーザー選択に応答して、前記共有デバイスへ前記オブジェクトを送信するステップを含む、１つまたは複数のコンピュータ記憶媒体。